(57)【要約】【課題】電源装置の収納場所を確保しつつ全体の小型化を図る。【解決手段】器具本体１は、板状に形成され、一方の面で第１の光源部を保持し、且つ他方の面で第２の光源部を保持する保持部材１１と、保持部材１１を支持して造営材（壁）の取付面（壁面）に取り付けられる取付部材１０とを有する。保持部材１１は、第１及び第２の光源部の光軸を取付面に対して傾けるように第１及び第２の光源部を保持する。電源装置７は、カバー５内において、第１及び第２の光源部を挟んで取付部材１０と反対側の端部に収納される。【選択図】        図１
2015222695.tif 000002
【特許請求の範囲】
【請求項１】
１乃至複数の固体発光素子を有する第１の光源部と、１乃至複数の固体発光素子を有する第２の光源部と、前記第１及び第２の光源部の少なくとも何れか一方を点灯させる電源装置と、前記第１及び第２の光源部を保持する器具本体と、前記第１及び第２の光源部を覆うように前記器具本体に取り付けられるカバーとを備え、
前記器具本体は、板状に形成され、一方の面で前記第１の光源部を保持し、且つ他方の面で前記第２の光源部を保持する保持部材と、前記保持部材を支持して造営材の取付面に取り付けられる取付部材とを有し、
前記保持部材は、前記第１及び第２の光源部の光軸を前記取付面に対して傾けるように前記第１及び第２の光源部を保持し、
前記電源装置は、前記カバー内において、前記第１及び第２の光源部を挟んで前記取付部材と反対側の端部に収納されることを特徴とする照明器具。
【請求項２】
前記保持部材は、前記電源装置を保持するように構成されることを特徴とする請求項１記載の照明器具。
【請求項３】
前記カバーは、前記電源装置と対向する部位の少なくとも一部が透光性を有しており、透光性を有する前記部位と前記電源装置との間に、板状の隔壁が設けられ、前記隔壁は、前記第１の光源部に臨む面で前記第１の光源部から放射される光を反射するように構成されることを特徴とする請求項１又は２記載の照明器具。
【発明の詳細な説明】
【技術分野】
【０００１】
本発明は、照明器具に関する。
【背景技術】
【０００２】
従来例として、特許文献１記載の照明器具を例示する。特許文献１記載の照明器具は、直管形の蛍光ランプからなる２つの光源と、各光源を各別に点灯する２つの電源装置と、器具本体とを備え、一方の光源から放射される光が上方に照射され、他方の光源から放射される光が下方に照射されるように構成される。
【０００３】
２つの電源装置は、各光源から放射される光を遮らないように、器具本体内において、各光源よりも設置面に近い位置に配置される。
【０００４】
この従来例は、例えば、病室や客室の壁に設置され、上下２つの光源を全て点灯させることで室内全体を照明することができる。また、この従来例は、下側の光源のみを点灯させることで、寝台（ベッド）の枕元周辺を照明して読書灯の機能を実現している。
【先行技術文献】
【特許文献】
【０００５】
【特許文献１】特開２００５−６３７４２号公報（図４及び図５参照）
【発明の概要】
【発明が解決しようとする課題】
【０００６】
ところで、上記従来例においては、直管形の蛍光ランプを光源としているため、器具本体が大型になる代わりに、器具本体内に生じるデッドスペースに電源装置を収納することができる。
【０００７】
しかしながら、発光ダイオードなどの固体発光素子が光源に用いられる場合、器具本体の小型化が可能になる代わりに、器具本体内に生じるデッドスペースが減少するので、電源装置の収納場所が確保し辛くなる。
【０００８】
本発明は、上記課題に鑑みて為された発明であり、電源装置の収納場所を確保しつつ全体の小型化を図ることを目的とする。
【課題を解決するための手段】
【０００９】
本発明の照明器具は、１乃至複数の固体発光素子を有する第１の光源部と、１乃至複数の固体発光素子を有する第２の光源部と、前記第１及び第２の光源部の少なくとも何れか一方を点灯させる電源装置と、前記第１及び第２の光源部を保持する器具本体と、前記第１及び第２の光源部を覆うように前記器具本体に取り付けられるカバーとを備え、前記器具本体は、板状に形成され、一方の面で前記第１の光源部を保持し、且つ他方の面で前記第２の光源部を保持する保持部材と、前記保持部材を支持して造営材の取付面に取り付けられる取付部材とを有し、前記保持部材は、前記第１及び第２の光源部の光軸を前記取付面に対して傾けるように前記第１及び第２の光源部を保持し、前記電源装置は、前記カバー内において、前記第１及び第２の光源部を挟んで前記取付部材と反対側の端部に収納されることを特徴とする。
【発明の効果】
【００１０】
本発明の照明器具は、電源装置の収納場所を確保しつつ全体の小型化を図ることができるという効果がある。
【図面の簡単な説明】
【００１１】
【図１】本発明に係る照明器具の実施形態を示し、エンドキャップを外した状態の断面図である。
【図２】同上を示し、図２Ａは正面図、図２Ｂは右側面図、図２Ｃは下面図である。
【図３】同上の一部破断した上面図である。
【図４】同上を示し、図４Ａは取付板部を外した状態の後面図、図４Ｂは取付板部の正面図である。
【図５】同上を示し、エンドキャップを外した状態の断面図である。
【図６】同上を示し、エンドキャップを外して壁面に設置された状態の断面図である。
【図７】同上を示し、カバーとエンド金具とエンドキャップを外した状態の断面斜視図である。
【発明を実施するための形態】
【００１２】
以下、本発明に係る照明器具の実施形態について、図面を参照して詳細に説明する。本実施形態は、特許文献１記載の従来例と同様に、病室や客室の壁に設置される、いわゆるブラケット（bracket）型の照明器具を例示する。ただし、本発明の技術思想が適用可能な照明器具はブラケット型の照明器具には限定されず、ブラケット型以外の照明器具にも本発明の技術思想が適用可能である。なお、以下の説明においては、造営面（壁面）に設置された状態で上下、左右、前後の各方向を規定し、壁面に垂直な方向を前後方向とし、手前を前、奥を後とする（図１及び図３参照）。
【００１３】
本実施形態の照明器具は、器具本体１、光源、カバー５などを備える。また、本実施形態の照明器具は、光源として、３つの上側ＬＥＤモジュール２と、２つの下側ＬＥＤモジュール３と、１つのＬＥＤ電球４とを備えることが好ましい。
【００１４】
３つの上側ＬＥＤモジュール２は、実装基板２１と、実装基板２１の一面（実装面）に実装される複数個のＬＥＤ（発光ダイオード）チップ２０とを、それぞれ備える（図１参照）。実装基板２１は、左右方向に細長い矩形の板状に形成される。ＬＥＤチップ２０は、実装基板２１の実装面に、長手方向に沿って等間隔に並べて実装される（図３参照）。また、実装基板２１の実装面には、各ＬＥＤチップ２０のアノード及びカソードと電気的に接続される配線用の導体（図示せず）が形成されている。
【００１５】
これら３つの上側ＬＥＤモジュール２は、図３に示すように、長手方向に沿って一列に並ぶように器具本体１に保持される。ただし、図３においては、２つの上側ＬＥＤモジュール２のみを図示している。なお、両端の２つの上側ＬＥＤモジュール２のＬＥＤチップ２０の個数に対して、中央の１つの上側ＬＥＤモジュール２のＬＥＤチップ２０の個数が多く且つ間隔が狭くなっている。
【００１６】
２つの下側ＬＥＤモジュール３は、上側ＬＥＤモジュール２と同様に、実装基板３１と、実装基板３１の一面（実装面）に実装される複数個のＬＥＤチップ３０とを、それぞれ備える（図１及び図４Ａ参照）。実装基板３１は、左右方向に細長い矩形の板状に形成される。ＬＥＤチップ３０は、実装基板３１の実装面に、長手方向に沿って等間隔に並べて実装される（図４Ａ参照）。また、実装基板３１の実装面には、各ＬＥＤチップ３０のアノード及びカソードと電気的に接続される配線用の導体（図示せず）が形成されている。
【００１７】
これら２つの下側ＬＥＤモジュール３は、器具本体１の左右両端に、間隔を空けて一列に並ぶように保持される。なお、２つの下側ＬＥＤモジュール３におけるＬＥＤチップ３０の個数は同一であることが好ましい。
【００１８】
ＬＥＤ電球４は、Ｅ１２口金を有する電球型のＬＥＤ光源であり、一般に、ＬＥＤ小丸電球と呼ばれている。このＬＥＤ電球４は、図４Ｂに示すように、器具本体１（後述する取付部材１０）の前面に取り付けられたランプソケット４０に装着されて器具本体１に保持される。
【００１９】
器具本体１は、取付部材１０と、保持部材１１とを有する。取付部材１０は、左右方向を長手方向とする矩形板状の取付板部１００と、取付板部１００の上縁から全長に渡って前方へ突出する矩形板状の連結板部１０１とが、金属板が曲げ加工されることによって、一体に形成されている（図１及び図４参照）。
【００２０】
取付板部１００の左右両端には、長孔状の取付孔１０００がそれぞれ貫通している（図４Ｂ参照）。そして、壁に設けられるボルト（図示せず）がそれぞれ取付孔１０００に挿通され、各ボルトにナット（図示せず）が締め付けられることで取付部材１０（器具本体１）が壁面に取り付けられる。なお、取付板部１００には、複数個の半球状の突起１００１が、後方に向かって突設されている（図１参照）。つまり、これら複数個の突起１００１が壁面に当たることにより、取付板部１００と壁面との間に隙間が形成される。
【００２１】
また、取付板部１００には、円形の挿通孔１００２が複数設けられている（図４Ｂ参照）。これらの挿通孔１００２には、壁から導出される電線（図示せず）が挿通される。さらに、取付板部１００の前面に、複数の端子台１５が取り付けられる。各端子台１５は、取付板部１００に設けられる取付孔（図示せず）に取付脚１５０が嵌め込まれることで取付板部１００に取り付けられている。すなわち、突起１００１によって形成される前記隙間は、取付脚１５０を逃がすための空間となる（図１参照）。
【００２２】
これらの端子台１５には、挿通孔１００２に挿通される電線が結線される。なお、中央の端子台１５は、電線４１を介してランプソケット４０に結線されている。つまり、商用の交流電源から電線４１及び中央の端子台１５を介してランプソケット４０に給電され、ランプソケット４０に装着されたＬＥＤ電球４が点灯する。
【００２３】
連結板部１０１は、長手方向（左右方向）の両端と中央にそれぞれ１つずつねじ孔（図示せず）が設けられている。
【００２４】
保持部材１１は、左右方向を長手方向とする矩形板状の保持板部１１０と、保持板部１１０の後端から後方へ突出する矩形板状の固定板部１１１とが、アルミ材の押出成形によって、一体に形成されている。なお、保持部材１１の長手方向（左右方向）の長さ寸法は、取付部材１０の長手方向の長さ寸法と同一であることが好ましい。
【００２５】
固定板部１１１は、長手方向（左右方向）の両端と中央にそれぞれ１つずつねじ孔（図示せず）が設けられている。そして、取付部材１０の連結板部１０１の上に固定板部１１１が重ねられ、取付ねじ１６がそれぞれ固定板部１１１のねじ孔と連結板部１０１のねじ孔にねじ込まれることにより、取付部材１０と保持部材１１とが連結される（図１参照）。
【００２６】
保持板部１１０は、固定板部１１１と連結されている後端部が固定板部１１１と同等の厚み寸法に形成され、前記後端部を除く大部分が固定板部１１１よりも大きい厚み寸法に形成されている。また、矩形板状の固定片１１２が、保持板部１１０の前端から保持板部１１０の厚み方向に沿って上向きに突出している（図１参照）。なお、保持板部１１０は、器具本体１が壁面に取り付けられた状態において、固定板部１１１に対して斜め下向きに傾斜するように形成されている。
【００２７】
３つの上側ＬＥＤモジュール２は、保持板部１１０の上面に、複数個の取付具２２を用いて取り付けられる（図１及び図３参照）。なお、これらの取付具２２は、矩形板状の合成樹脂成形体からなり、保持板部１１０にねじ止めされた状態で、実装基板２１の端部を保持板部１１０の上面との間で挟み込んでいる（図１参照）。
【００２８】
また、２つの下側ＬＥＤモジュール３は、保持板部１１０の下面における左右両端に、複数個の取付具３２を用いて取り付けられる。なお、これらの取付具３２は、取付具２２と同一の部品である。つまり、取付具３２は、保持板部１１０にねじ止めされた状態で、実装基板３１の端部を保持板部１１０の下面との間で挟み込んでいる（図１参照）。
【００２９】
さらに、保持部材１１の固定片１１２には、副保持板部１１３がねじ止めされる（図１参照）。この副保持板部１１３は、左右方向を長手方向とする矩形板状に形成されている。また、副保持板部１１３の後端部は、長手方向から見てＶ字形に折り曲げられている。そして、このＶ字形に折り曲げられた後端部が、固定片１１２にねじ止めされる。副保持板部１１３の上面における左右両端に、２台の電源装置（電源ユニット）７がそれぞれねじ止めされて取り付けられる（図１及び図３参照）。
【００３０】
一方の電源装置７は、３つの上側ＬＥＤモジュール２を点灯し、他方の電源装置７は、２つの下側ＬＥＤモジュール３を点灯することが好ましい。これら２台の電源装置７は、電源基板７０と、電源基板７０を収納する収納ケース７１とを有する。電源基板７０は、前後方向に長い矩形板状に形成されたプリント配線板からなり、このプリント配線板には、少なくともＬＥＤチップ２０，３０の点灯電力を生成するために必要な回路部品(例えばトランスやダイオード、コンデンサなど)が実装されている。また、電源基板７０は、長手方向の両端に、それぞれ１個乃至２個の端子台７２が実装されており、これらの端子台７２を介して、入力用の電線や出力用の電線などが前記回路部品と電気的に接続される。なお、これらの端子台７２は、収納ケース７１の長手方向の両端から外部に露出している（図１及び図３参照）
ここで、器具本体１の保持部材１１には、２つの第１反射部１２と、２つの第２反射部１３と、１つの第３反射部１４とが取り付けられることが好ましい（図１及び図３Ａ参照）。第１反射部１２と第２反射部１３は、何れも下側ＬＥＤモジュール３の配光を制御し、第３反射部１４は、上側ＬＥＤモジュール２の配光を制御するように構成される。
【００３１】
第１反射部１２は、第１反射板１２０と、一対の側板１２１と、固定板１２２とを有する。なお、第１反射板１２０と、一対の側板１２１と、固定板１２２とは、金属板が曲げ加工されて一体に形成されることが好ましい。
【００３２】
第１反射板１２０は、左右方向を長手方向とする矩形板状に形成される。第１反射板１２０の長手方向の長さ寸法は、下側ＬＥＤモジュール３の長手方向の長さ寸法よりも大きいことが好ましい。一対の側板１２１は、台形状であって、第１反射板１２０の長手方向の両端から、第１反射板１２０の反射面の法線方向に沿って前方へ突出するように形成される。固定板１２２は、第１反射板１２０の上端縁から、第１反射板１２０の反射面の法線方向に沿って後方へ突出するように形成される。ただし、固定板１２２は、取付具３２を避けるために階段状に曲げられている。第１反射部１２は、固定板１２２の後端部において、保持部材１１の保持板部１１０にねじ止めされる（図１参照）。
【００３３】
第２反射部１３は、第２反射板１３０と、固定板１３１とを有する。なお、第２反射板１３０と固定板１３１とは、金属板が曲げ加工されて一体に形成されることが好ましい。
【００３４】
第２反射板１３０は、左右方向を長手方向とする矩形板状に形成され、且つ下端部分が前方へ曲げ起こされている。第２反射板１３０の長手方向の長さ寸法は、下側ＬＥＤモジュール３の長手方向の長さ寸法よりも大きいことが好ましい。固定板１２２は、第２反射板１３０の上端縁から前方へ突出するように形成される。第２反射部１３は、固定板１３１の長手方向の両端において、保持部材１１の保持板部１１０にねじ止めされる（図１参照）。
【００３５】
第３反射部１４は、第３反射板１４０と、固定板１４１とを有する。なお、第３反射板１４０と固定板１４１とは、金属板が曲げ加工されて一体に形成されることが好ましい。
【００３６】
第３反射板１４０は、左右方向を長手方向とする矩形板状であり、短手方向（前後方向）において、電源装置７の収納ケース７１に沿うように曲げられている（図１参照）。固定板１４１は、第３反射板１４０の後端縁から後方へ突出するように形成される。第３反射部１４は、固定板１４１の長手方向の両端において、副保持板部１１３とともに、保持部材１１の固定片１１２にねじ止めされる。
【００３７】
ここで、器具本体１の左右方向（長手方向）の両端に、それぞれエンド金具８が取り付けられる（図１及び図３参照）。これら２つのエンド金具８は、平坦な板状に形成されて、保持板部１１０にねじ止めして固定される。なお、２つのエンド金具８は、長手方向から見て互いに鏡像の関係にある。
【００３８】
カバー５は、上壁５０と、下壁５１と、前壁５２とを備えて、左右両端と後面とが開放された角筒状に形成されている。上壁５０は、透明な合成樹脂材料（例えば、アクリル樹脂）により、平坦な矩形板状に形成されることが好ましい。一方、下壁５１及び前壁５２は、不透明な合成樹脂材料、若しくは上壁５０を形成する合成樹脂材料よりも可視光に対する透過率が十分に低い合成樹脂材料（例えば、拡散剤が混入されたアクリル樹脂）により、それぞれ平坦な矩形板状に形成されることが好ましい。
【００３９】
上壁５０は、透過部５００と導光部５０１とを有する。導光部５０１は、上壁５０の後端部分であって、器具本体１の固定板部１１１の上に載って取付ねじ１６で固定される部分である。また、透過部５００は、下面にプリズムが形成されている第１領域５０００と、プリズムが形成されていない第２領域５００１とを有し、後側（壁面側）に第１領域５０００が設けられ、前側に第２領域５００１が設けられる（図１参照）。
【００４０】
さらに、第１領域５０００は、前後方向において、プリズムの形状が異なる２つの領域に分かれている。後側の領域（後側の第１領域５０００Ａ）は、主として上側ＬＥＤモジュール２の光を壁面に配光するように構成される。前側の領域（前側の第１領域５０００Ｂ）は、主として上側ＬＥＤモジュール２の光を天井面に配光するように構成される。
【００４１】
下壁５１は、後方に向かって下向きに傾斜するように構成される。また、下壁５１の後端側には、内向き（斜め上向き）に凹んだ凹所が形成されている。以下、凹所の前方の壁を第１側壁５１０と呼び、凹所の後方の壁を第２側壁５１１と呼び、凹所の上方の壁を底壁５１２と呼ぶことにする。
【００４２】
第１側壁５１０及び第２側壁５１１は、上端に対して下端が後方に位置するように傾斜することが好ましい。なお、第１側壁５１０及び第２側壁５１１は、下壁５１の凹所以外の部分と同じ材料で形成されている。
【００４３】
一方、底壁５１２は、上壁５０と共通の材料（透光性を有する合成樹脂材料）により、外に向かって突出する曲面（例えば、円筒面）形状に形成されることが好ましい。
【００４４】
カバー５は、図１及び図３に示すように、上壁５０の導光部５０１が固定板部１１１に取付ねじ１６でねじ止めされることにより、器具本体１に取り付けられる。そして、器具本体１にカバー５が取り付けられた状態では、上側ＬＥＤモジュール２のＬＥＤチップ２０が上壁５０の透過部５００と対向し、下側ＬＥＤモジュール３のＬＥＤチップ３０が下壁５１の底壁５１２と対向する。なお、ＬＥＤ電球４は、第２側壁５１１の後方に配置される（図５参照）。
【００４５】
また、左右のエンド金具８に、それぞれエンドキャップ６が取り付けられる（図２及び図３参照）。エンドキャップ６は、透光性を有しない合成樹材料により、左右何れかの側面と後面が開放された角柱状に形成されている。ただし、２つのエンドキャップ６は、鏡像の関係にあり、一方のエンドキャップ６が左側のエンド金具８に取り付けられ、他方のエンドキャップ６が右側のエンド金具８に取り付けられる。
【００４６】
次に、本実施形態の照明器具の動作を説明する。
【００４７】
本実施形態の照明器具は、上側ＬＥＤモジュール２と下側ＬＥＤモジュール３とＬＥＤ電球４をそれぞれ各別に点灯するように構成されている。例えば、病室や客室などの空間全体を照明する場合、３つの上側ＬＥＤモジュール２のみ、若しくは３つの上側ＬＥＤモジュール２と２つの下側ＬＥＤモジュール３が双方とも点灯されることが好ましい。また、ベッド上で病人や客が読書をする場合、２つの下側ＬＥＤモジュール３のみが点灯されることが好ましい。さらに、病人や客の就寝中においては、常夜灯としてＬＥＤ電球４のみが点灯されることが好ましい。
【００４８】
ここで、上側ＬＥＤモジュール２の光の配光について、図６を参照して説明する。
【００４９】
ＬＥＤチップ２０の発する光の一部は、カバー５の上壁５０の透過部５００を透過して外部に放射される。このとき、透過部５００の第２領域５００１を透過する光は、第２領域５００１（透過部５００）を透過して壁面から離れた前方の天井に照射される。ただし、前記光のうち、第２領域５００１の下面で反射される光は、第３反射部１４の第３反射板１４０に反射された後、第２領域５００１を透過して外部に放射される。さらに、第３反射板１４０に直接反射される光は、透過部５００を透過して壁面に照射される。
【００５０】
また、透過部５００の第１領域５０００を透過する光は、様々な方向に拡散されて外部に放射される。例えば、前側の第１領域５０００Ｂを透過する光は、主として前方の天井面に照射される。さらに、後側の第１領域５０００Ａを透過する光は、主として壁面及び壁面に近い天井面に照射される。
【００５１】
また、ＬＥＤチップ２０の発する光の一部は、カバー５の上壁５０の導光部５０１で後方へ導光されて壁面に照射される。ここで、導光部５０１の下には、保持部材１１の固定板部１１１が存在している。したがって、導光部５０１の下面から出射する光は、固定板部１１１の上面で反射された後、導光部５０１を透過して壁面に照射される。故に、本実施形態の照明器具においては、カバー５の導光部５０１に導光される光が、壁面の器具本体１に近い位置に照射されることになる。その結果、壁面における光の均斉度の向上を図ることができる。
【００５２】
続いて、下側ＬＥＤモジュール３の光の配光について、図６を参照して説明する。
【００５３】
ＬＥＤチップ３０の発する光の大部分は、底壁５１２を透過して外部に放射される。また、ＬＥＤチップ３０の発する光の一部は、第１反射板１２０及び第２反射板１３０の反射面にそれぞれ反射された後、底壁５１２を透過して外部に放射される。
【００５４】
底壁５１２を透過した光の一部は、直接壁面に照射される。また、前記光の一部は、第２側壁５１１の外表面に反射されて壁面及び床面（又はベッド）に照射される。さらに、前記光の一部は、第１側壁５１０の外表面に反射された後、直接若しくは第２側壁５１１に反射されて壁面及び床面（又はベッド）に照射される。
【００５５】
ここで、本実施形態におけるカバー５は、下側ＬＥＤモジュール３から放射される光を壁面から離れる向きに反射させる第２側壁５１１と、第２側壁５１１と対向する位置に配置されて前記光を第２側壁５１１に向かう向きに反射させる第１側壁５１０とを有する。また、第１側壁５１０は、下側ＬＥＤモジュール３から遠離るに連れて壁面に近付くように傾斜している。さらに、第１側壁５１０は、光軸（下側ＬＥＤモジュール３の光軸）に沿った幅寸法（上下方向の幅寸法）が、第２側壁５１１の前記光軸に沿った幅寸法よりも小さく形成されている。
【００５６】
すなわち、第１側壁５１０が下側ＬＥＤモジュール３から遠離るに連れて壁面に近付くように傾斜しているため、底壁５１２が、ベッドに横臥する人の視界に入り難くなる。そのため、本実施形態の照明器具は、下方から見られたときのグレアを抑制することができる。
【００５７】
また、第１側壁５１０の前記幅寸法が大きくなる程、下側ＬＥＤモジュール３の光のうちで前方へ放射される光が減少してしまう。これに対して本実施形態の照明器具では、第１側壁５１０の前記幅寸法が第２側壁５１１の前記幅寸法よりも小さく形成されているので、第２側壁５１１に反射された後、第１側壁５１０に遮られずに前方へ照射される光が増える。その結果、本実施形態の照明器具は、効率（照明器具効率）の向上を図ることができる。
【００５８】
ここで、底壁５１２が平坦である場合、下側ＬＥＤモジュール３の光が底壁５１２の入射面（上面）で反射される割合が増えてしまう。故に、底壁５１２が外向きに凸となる曲面形状、好ましくは円筒形状に形成されれば、下側ＬＥＤモジュール３の光が底壁５１２の入射面（上面）で反射される割合が減るので、効率のさらなる向上を図ることができる。
【００５９】
最後に、ＬＥＤ電球４の光の配光について、図５及び図７を参照して説明する。ＬＥＤ電球４は、器具本体１の長手方向の中央に在って、前方に下側ＬＥＤモジュール３が存在しておらず、保持部材１１の保持板部１１０が存在している。したがって、ＬＥＤ電球４から放射される光のうちで前方に放射される光が、保持板部１１０の表面（下面）に反射された後、底壁５１２を透過して外部に放射される。なお、底壁５１２を透過する光の配光は、上述した下側ＬＥＤモジュール３の配光と類似する。
【００６０】
また、ＬＥＤ電球４から放射される光のうちで前方以外に放射される光は、器具本体１に反射する一部が保持板部１１０の表面に反射されて底壁５１２を透過する。なお、下壁５１（第２側壁５１１）が透光性の合成樹脂材料に拡散剤が混入されて形成される場合、ＬＥＤ電球４から放射される光の一部が、第２側壁５１１を透過して外部に放射される。
【００６１】
上述のように本実施形態の照明器具は、１乃至複数の固体発光素子（ＬＥＤチップ２０）を有する第１の光源部（上側ＬＥＤモジュール２）と、１乃至複数の固体発光素子（ＬＥＤチップ３０）を有する第２の光源部（下側ＬＥＤモジュール３）とを備える。また、本実施形態の照明器具は、第１及び第２の光源部２，３の少なくとも何れか一方を点灯させる電源装置７と、第１及び第２の光源部２，３を保持する器具本体１と、第１及び第２の光源部２，３を覆うように器具本体１に取り付けられるカバー５とを備える。器具本体１は、板状に形成され、一方の面で第１の光源部２を保持し、且つ他方の面で第２の光源部３を保持する保持部材１１と、保持部材１１を支持して造営材（壁）の取付面（壁面）に取り付けられる取付部材１０とを有する。保持部材１１は、第１及び第２の光源部２，３の光軸を取付面に対して傾けるように第１及び第２の光源部２，３を保持する。電源装置７は、カバー５内において、第１及び第２の光源部２，３を挟んで取付部材１０と反対側（前側）の端部に収納される。
【００６２】
本実施形態の照明器具は上述のように構成されるので、器具本体１とカバー５との間に生じるデッドスペースに電源装置７を収納することができ、その結果、電源装置７の収納場所を確保しつつ全体の小型化を図ることができる。
【００６３】
本実施形態の照明器具において、保持部材（保持部材１１の副保持板部１１３）は、電源装置７を保持するように構成されることが好ましい。本実施形態の照明器具が上述のように構成されれば、さらに全体の小型化を図ることができる。
【００６４】
本実施形態の照明器具において、カバー５は、電源装置７と対向する部位（上壁５０）の少なくとも一部（透過部５００）が透光性を有していることが好ましい。また、本実施形態の照明器具において、カバー５は、透光性を有する部位（透過部５００）と電源装置７との間に、板状の隔壁（第３反射部１４）が設けられることが好ましい。そして、隔壁（第３反射部１４）は、第１の光源部２に臨む面（上面）で第１の光源部２から放射される光を反射するように構成されることが好ましい。本実施形態の照明器具が上述のように構成されれば、効率（照明器具効率）の向上を図ることができる。
【符号の説明】
【００６５】
１  器具本体
２  上側ＬＥＤモジュール（第１の光源部）
３  下側ＬＥＤモジュール（第２の光源部）
５  カバー
７  電源装置
１０  取付部材
１１  保持部材
【図１】
2015222695.tif 000003
【図２】
2015222695.tif 000004
【図３】
2015222695.tif 000005
【図４】
2015222695.tif 000006
【図５】
2015222695.tif 000007
【図６】
2015222695.tif 000008
【図７】
2015222695.tif 000009